(57)【要約】【課題】立体的な視覚効果の高い装飾部材を提供する。【解決手段】装飾部材１Ａは、表面２ｂおよび裏面２ａを有する樹脂層２を備える。樹脂層２の裏面２ａには、表面２ｂに向かって徐々に後退し、樹脂層２の厚さを変化させる後退面２１が形成されている。樹脂層２の裏面２ａ上には、後退面２１を覆うように反射層３が形成されている。樹脂層３は、金属板で構成されている。この構成によれば、高い立体的視覚効果を得ることができるだけでなく、金属板で構成された反射層３により、装飾部材１Ａの強度を確保することができる。【選択図】図２
2011140136.tif 000002
【特許請求の範囲】
【請求項１】
表面および裏面を有する、有色で光透過性の樹脂層であって、前記裏面に、前記表面に向かって徐々に後退し、前記表面と前記裏面との間の距離である厚さを変化させる後退面が形成された、樹脂層と、
前記樹脂層の裏面上に、前記後退面を覆うように形成された反射層と、を備え、
前記反射層は、金属板で構成されている、
装飾部材。
【請求項２】
前記反射層には、前記樹脂層の厚み方向に立ち上がるリブが設けられている、請求項１に記載の装飾部材。
【請求項３】
前記リブは、前記金属板が折り曲げられることにより形成されている、請求項２に記載の装飾部材。
【請求項４】
前記リブは、互いに平行に一対設けられている、請求項２または３に記載の装飾部材。
【請求項５】
前記反射層を挟んで前記樹脂層と反対側に位置する、前記樹脂層と一体成形された第２の樹脂層をさらに備える、請求項１〜４のいずれか一項に記載の装飾部材。
【請求項６】
前記反射層は、前記樹脂層と前記第２の樹脂層とで構成される成形体から露出する露出部を有する、請求項５に記載の装飾部材。
【請求項７】
前記後退面は、広がりながら開口する窪みを形成する凹面である、請求項１〜６のいずれか一項に記載の装飾部材。
【請求項８】
前記凹面は、前記樹脂層の厚み方向と直交する少なくとも一方向に沿って前記表面側に凸となるように連続的に屈曲している、請求項７に記載の装飾部材。
【請求項９】
前記凹面は、前記樹脂層の厚み方向と直交する一方向に沿って連続的に屈曲する筒状である、請求項８に記載の装飾部材。
【請求項１０】
前記凹面は、前記樹脂層の厚み方向と直交しかつ互いに直交する二方向に沿って連続的に屈曲するドーム状である、請求項８に記載の装飾部材。
【請求項１１】
前記樹脂層の裏面は、前記後退面の外側に基準面を有しており、
前記反射層は、前記基準面に面する平面部と、前記後退面に面する突出部とを有する、請求項１〜１０のいずれか一項に記載の装飾部材。
【請求項１２】
前記基準面は、前記樹脂層の厚み方向と直交する平坦面である、請求項１１に記載の装飾部材。
【請求項１３】
前記樹脂層の表面は、前記樹脂層の厚み方向と直交する平坦面である、請求項１〜１２のいずれか一項に記載の装飾部材。
【請求項１４】
前記装飾部材は、所定方向に延びており、前記後退面は、前記装飾部材の長手方向に延びている、請求項１〜１３のいずれか一項に記載の装飾部材。
【発明の詳細な説明】
【技術分野】
【０００１】
本発明は、立体的に浮き上がって見える模様を呈する装飾部材に関する。
【背景技術】
【０００２】
従来、立体的な視覚効果を持つ意匠を実現するための装飾部材として、例えば特許文献１には図９に示すような装飾部材１００が開示されている。この装飾部材１００では、透明又は半透明の樹脂プレート２００の裏面が、傾斜角度の大きな急斜面２１０と傾斜角度の小さな緩斜面２２０を交互に繰り返す鋸歯状に形成され、その裏面が色層３００で覆われている。
【０００３】
色層３００は光反射能力を有するものである。樹脂プレート２００の表面から入射した光は、色層３００における緩斜面２２０に面する部分では表側に戻るように反射されるが、色層３００における急斜面２１０に面する部分では横方向に逸れるように反射される。このため、急斜面２１０に対応する部分では色層３００が暗く見えるようになり、立体的な筋模様が形成される。
【先行技術文献】
【特許文献】
【０００４】
【特許文献１】特公昭５８−７４９４号公報
【発明の概要】
【発明が解決しようとする課題】
【０００５】
ところで、特許文献１では、「色層」という用語が用いられていることから明らかなように、色層３００により装飾部材１００の模様の色が表されている。しかしながら、このように色層３００により装飾部材１００の模様の色を表した場合には、色層３００が２つの斜面２１０，２２０に沿わされることにより形成された山部があまり浮き上がって見えず、立体的な視覚効果もそれほど高くない。
【０００６】
本発明は、このような事情に鑑み、立体的な視覚効果の高い装飾部材を提供することを目的とする。
【課題を解決するための手段】
【０００７】
前記課題を解決するために、本発明は、表面および裏面を有する、有色で光透過性の樹脂層であって、前記裏面に、前記表面に向かって徐々に後退し、前記表面と前記裏面との間の距離である厚さを変化させる後退面が形成された、樹脂層と、前記樹脂層の裏面上に、前記後退面を覆うように形成された反射層と、を備え、前記反射層は、金属板で構成されている、装飾部材を提供する。
【発明の効果】
【０００８】
本発明の装飾部材によれば、後退面によって有色の樹脂層の厚さを変化させることにより、反射層における後退面に沿う凸部の上に、樹脂層の厚さが薄い部分では色が淡く、樹脂層の厚さが厚い部分では色が濃いグラデーションを形成することができる。しかも、樹脂層での光の透過損失および反射層での光の反射により、反射層の凸部が、樹脂層の厚さが薄い部分では明るく、樹脂層の厚さが厚い部分では暗く見えるようになる。そして、このような色の濃淡だけでなく光の反射を利用した光のコントラストを伴うグラデーションによって、反射層の凸部が際だって浮き上がって見えるようになる。これにより、高い立体的視覚効果を得ることができる。
【０００９】
さらに、本発明の装飾部材によれば、金属板で構成された反射層により、装飾部材の強度を確保することができる。
【図面の簡単な説明】
【００１０】
【図１】本発明の第１実施形態に係る装飾部材を裏側から見たときの斜視図
【図２】図１のII−II線断面図
【図３】図１のIII−III線断面図
【図４】図１の装飾部材を表側から見たときの外観図
【図５】本発明の第２実施形態に係る装飾部材を表側から見たときの外観図
【図６】図５のVI−VI線断面図
【図７】（ａ）は変形例の装飾部材を裏側から見たときの斜視図、（ｂ）は同装飾部材の断面図
【図８】別の変形例の装飾部材の断面図
【図９】従来の装飾部材の断面図
【発明を実施するための形態】
【００１１】
以下、本発明の実施形態について、図面を参照しながら説明する。
【００１２】
（第１実施形態）
図１〜３に、本発明の第１実施形態に係る装飾部材１Ａを示す。この装飾部材１Ａは、所定方向に延びる略長方形板状の形状を有しており、表側（図１〜３では下側）に樹脂層２を備え、裏側（図１〜３では上側）に反射層３を備えている。
【００１３】
樹脂層２は、有色で光透過性のものである。すなわち、樹脂層２は、可視光領域の特定の波長域の光を透過し、それ以外の光を反射または吸収する。樹脂層２の色は、特に限定されるものではないが、比較的に濃い色（例えば、ブラック、レッド、ブルー、あるいは三菱レイヨン社製アクリライトの色調Ｎｏ．５３０（ブルースモーク），色調Ｎｏ．５４０（グリーンスモーク），色調Ｎｏ．５５０（ブラウンスモーク），色調Ｎｏ．８３（グレースモーク）など）であることが好ましい。また、樹脂層２を構成する材料としては、例えばアクリル、ポリカーボネート、ＡＢＳ（アクリルニトリルブタジエンスチレン）、ポリアミド、ナイロンなどの種々のポリマーを単独でまたはポリマーアロイとして用いることができる。
【００１４】
樹脂層２は、厚み方向の一方面である表面２ｂと、厚み方向の他方面である裏面２ａを有している。表面２ｂは、樹脂層２の厚み方向と直交する平坦面である。裏面２ａには、表面２ｂに向かって徐々に後退し、表面２ｂと裏面２ａとの間の距離である厚さを変化させる後退面２１が形成されている。本実施形態では、裏面２ａは、後退面２１の外側に、表面２ｂと平行な（換言すれば、樹脂層２の厚み方向と直交する平坦面である）基準面２２を有している。
【００１５】
後退面２１は、広がりながら開口する窪みを形成する凹面である。また、後退面２１は、樹脂層２の厚み方向と直交する少なくとも一方向に沿って表面２ｂ側に凸となるように連続的に屈曲するものである。ここで、「連続的に屈曲する」とは、後退面２１が屈曲する方向における後退面２１の断面形状の接線の傾きが該断面形状の一端から他端にかけて一方向に、実質的に、連続的に変化することをいう。なお、後退面２１が屈曲する態様は、曲率が一定の線形であっても曲率が変化する非線形であってもよい。また、「実質的に」とは、加工の際に残るような表面の凹凸を無視し、人間の視覚により把握される形状において後退面２１の断面形状の接線の傾きが該断面形状の一端から他端にかけて一方向に連続的に変化することを含む概念である。
【００１６】
本実施形態では、後退面２１は、装飾部材１Ａの長手方向および短手方向（樹脂層２の厚み方向と直交しかつ互いに直交する二方向）に沿って連続的に屈曲するドーム状の凹面となっている。そして、基準面２２は、後退面２１を取り囲んでいる。
【００１７】
平面視における後退面２１の形状は特に限定されるものではないが、後退面２１は装飾部材１Ａの長手方向に延びていることが好ましい。例えば、後退面２１の形状は、樹脂層２の厚み方向から見たときに、楕円状や両端が丸みを帯びた帯状であってもよい。
【００１８】
後退面２１の周縁部は、基準面２２と稜線を形成するように基準面２２に角度を持って直接的につながっていてもよい。あるいは、後端面２１の周縁部と基準面２２との間には断面形状が後端面２１と逆向きに凸となる接続部が環状に設けられており、後端面２１の周縁部は、その接続部を介して基準面２２と滑らかにつながっていてもよい。
【００１９】
上述したような樹脂層２は、例えば、射出成形、加熱圧縮成形、または押出成形と加熱圧縮成形の組み合わせなどの成形方法を用いて成形することができる。なお、樹脂層２の成形の際には、表面２ｂでの光の乱反射を防いで質感を高めるために、鏡面仕上げした金型を用いることが好ましい。
【００２０】
反射層３は、樹脂層２の裏面２ａ上に、後退面２１および基準面２２を覆うように形成されている。すなわち、反射層３は、基準面２２に面する平面部３２と、後退面２１に面する突出部３１とを有している。反射層３は、樹脂層２を透過する光を反射するためのものである。反射層３は、可視光領域（おおむね４００〜７５０ｎｍ）の光の透過が殆どなく、かつ、可視光領域の大部分の光に対する反射率が高いことが好ましい。また、樹脂層２の後退面２１および基準面２２と接する反射層３の表面は、樹脂層２を透過する光を正反射するという観点から、光沢を有する平滑面となっていることが好ましい。例えば、反射層３の可視光線に対する透過率は、５％以下であることが好ましく、１％以下であることがより好ましく、０．１％以下であることが特に好ましい。反射率および平滑面に関しては、反射層３の表面のグロス（光沢）値を用いて表現する。ガラス表面（屈折率１．５６７）で入射角６０度、受光角−６０度の場合の入射光と受光光の輝度差が１０％のときをグロス値１００としたときに、反射層３の表面のグロス値は、２００以上であることが好ましく、７００以上であることがより好ましく、８００程度であることが特に好ましい。
【００２１】
本実施形態では、反射層３が金属板で構成されている。平面部３２および突出部３１を有する反射層３は、平板状の金属板をプレス成形することにより簡単に作製することができる。この場合、突出部３１は、絞り加工により形成された膨出部である。金属板としては、高張力鋼板またはジュラルミンなどの強度の高い板を用いることが好ましい。なお、樹脂層２と反射層３とは、それぞれを別々に作製した後にそれらを接着剤等により接合してもよいし、反射層３を作製し、その上に溶融樹脂を塗布して硬化させることにより樹脂層２を作製してもよい。
【００２２】
以上説明した本実施形態の装飾部材１Ａでは、後退面２１によって有色の樹脂層２の厚さを変化させることにより、反射層３における後退面２１に沿う突出部３１の上に、図４に示すような樹脂層２の厚さが薄い部分では色が淡く、樹脂層２の厚さが厚い部分では色が濃いグラデーションを形成することができる。しかも、樹脂層２での光の透過損失および反射層３での光の反射により、反射層３の突出部３１が、樹脂層２の厚さが薄い部分では明るく、樹脂層２の厚さが厚い部分では暗く見えるようになる。そして、このような色の濃淡だけでなく光の反射を利用した光のコントラストを伴うグラデーションによって、反射層３の突出部３１が際だって浮き上がって見えるようになる。これにより、高い立体的視覚効果を得ることができる。
【００２３】
さらに、本実施形態の装飾部材１Ａでは、金属板で構成された反射層３により、装飾部材１Ａの強度を確保することができる。
【００２４】
また、本実施形態の装飾部材１Ａでは、後退面２１が連続的に屈曲しているので、グラデーションにおける色の濃淡および光のコントラストを、樹脂層２の厚さが薄い部分から厚い部分にかけて徐々に密に変化させることができる。また、反射層３の突出部３１の上に形成されるグラデーションのかかり方が、装飾部材１Ａを見る角度に応じて変化する。これにより、立体的視覚効果をより強調することができる。
【００２５】
さらに、本実施形態の装飾部材１Ａでは、後退面２１の外側に基準面２２が設けられている。後退面２１の底から周縁部に向かうにつれて、反射層３の表面の法線方向が徐々に横向きになるため、有色の樹脂層２が徐々に暗く見えるようになる。そして、後退面２１の周縁部の真上部分では、暗さがピークになり、樹脂層２が黒っぽく見える。これに対し、基準面２２で規定される樹脂層２の厚さが最も厚い最厚部では、反射層３が表面２ｂと平行になっている。このため、最厚部では、有色の樹脂層２が、後退面２１の底で規定される樹脂層２の厚さが最も薄い最薄部よりも濃くかつ後端面２１の周縁部の真上部分よりも淡く見えるようになる。これにより、後退面２１の周縁部での暗さが基準面２２との比較で強調されるようになり、より高い立体的視覚効果を得ることができる。
【００２６】
（第２実施形態）
次に、図５および図６に、本発明の第２実施形態に係る装飾部材１Ｂを示す。なお、本実施形態では、第１実施形態と同一構成部分には同一符号を付して、その説明を省略する。
【００２７】
本実施形態の装飾部材１Ｂでは、樹脂層２の裏面２ａに、後退面２１として、装飾部材１Ｂの長手方向に延びる溝状の窪みを形成する凹面が形成されている。すなわち、この凹面は、装飾部材１Ｂの短手方向（樹脂層２の厚み方向と直交する一方向）のみに沿って連続的に屈曲する筒状となっている。このため、装飾部材１Ｂでは、図５に示すような立体的な視覚効果を持つグラデーションがかかった模様が表現されている。
【００２８】
図５に示すグラデーションも第１実施形態と同様に、色の濃淡および光のコントラストが樹脂層２の厚さが薄い部分から厚い部分にかけて徐々に密に変化する。さらに、後退面２１の外側では、有色の樹脂層２がグラデーションの中間の色および明るさに見える。従って、第２実施形態でも第１実施形態と同様の効果を得ることができる。
【００２９】
さらに、本実施形態の装飾部材１Ｂは、反射層３を挟んで樹脂層２と反対側に位置する、樹脂層２と一体成形された第２の樹脂層４を備えている。換言すれば、反射層３は、樹脂層２と第２の樹脂層とで構成される成形体５内にインサート成形されている。そして、装飾部材１Ｂの短手方向において、反射層３の両端部が成形体５から露出し、露出部３４を構成している。
【００３０】
本実施形態では、突出部３１が反射層３の一端から他端まで延びており、平面部３２が突出部３１によって装飾部材１Ｂの短手方向に分断されている。そして、双方の平面部３２の外側の端部には、反射層３を構成する金属板が折り曲げられることにより、樹脂層２の厚み方向に立ち上がるリブ３３が連設されている。すなわち、リブ３３は、互いに平行に一対設けられている。さらに、リブ３３の端部には、平面部３２と平行に折り返された鍔部が設けられており、この鍔部の先端が成形体５の外まで延びていて露出部３４を構成している。
【００３１】
本実施形態のように、反射層３が成形体５内にインサート成形されていれば、装飾部材１Ｂの裏面を所望の形状（例えばフラット）にすることができ、装飾部材１Ｂの裏面を例えば種々の部品を取り付ける取り付け面として利用することが可能になる。
【００３２】
また、本実施形態の装飾部材１Ｂでは、反射層３にリブ３２が設けられているので、強度も確保することができる。
【００３３】
なお、本実施形態で示したような形状の反射層３を構成する金属板は、平板状の金属板を折り曲げ加工する以外にも、図６に示すような断面形状で金属材料を引き抜き加工することにより作製することができる。
【００３４】
（変形例）
なお、前記第１および第２実施形態では、樹脂層２の表面２ｂが平坦面になっているが、樹脂層２の表面２ｂは、例えば、湾曲していてもよいし、凹凸が形成されていてもよい。また、樹脂層２の裏面２ａの基準面２２も樹脂層２の厚み方向と直交する平坦面である必要はなく、例えば、表面２ｂが湾曲している場合には表面２ｂに平行な湾曲面であってもよい。
【００３５】
また、図７（ａ）および（ｂ）に示す変形例の装飾部材１Ｃのように、後退面２１は樹脂層２の裏面２ａ全面に形成されていてもよい。ただし、前記第１および第２実施形態後のように、後退面２１の外側に基準面２２があれば、後退面２１の端部での暗さが基準面２２との比較で強調されるようになり、より高い立体的視覚効果を得ることができる。
【００３６】
さらに、後退面２１は、必ずしも広がりながら開口する窪みを形成する凹面である必要はなく、図７（ｂ）に示すように、該後端面２１が屈曲する方向において一端から他端にかけて表面２ｂに近づくだけの断面形状を有していてもよい。
【００３７】
さらには、後退面２１は、必ずしも樹脂層２の厚み方向と直交する少なくとも一方向に沿って表面２ｂ側に凸となるように屈曲している必要はない。例えば図８に示す変形例の装飾部材１Ｄのように、後退面２１は、表面２ｂに向かって直線的に傾斜しており、Ｖ字状の溝または円錐状の窪みを形成していてもよい。ただし、前記第１および第２実施形態のように、後退面２１の断面形状が曲線になっていれば、反射層３の突出部３１の上に形成されるグラデーションのかかり方が装飾部材を見る角度に応じて変化するため、立体的視覚効果をより強調することができる。
【００３８】
また、本発明の装飾部材は、必ずしも所定方向に延びる形状を有している必要はなく、例えば、平面視で正多角形状であってもよいし、樹脂層２の厚み方向を開口方向とする矩形枠状であってもよい。
【００３９】
さらに、第２実施形態のように反射層３にリブ３３を設ける場合は、リブ３３は必ずしも一対である必要はなく、１つだけあるいは３つ以上設けられていてもよい。また、リブ３３を省略し、中央に絞り加工により突出部３１のみが形成された金属板の両端部を成形体５から露出させることにより、平面部３２と連続する露出部３４を構成することも可能である。
【産業上の利用可能性】
【００４０】
本発明は、例えば電気機器の筐体などに高品位な装飾を施す装飾部材に有用である。
【符号の説明】
【００４１】
１Ａ〜１Ｄ  装飾部材
２    樹脂層
２ａ  裏面
２ｂ  表面
２１  後退面
２２  基準面
３    反射層
３１  突出部
３２  平面部
４    第２の樹脂層
５    成形体
【図１】
2011140136.tif 000003
【図２】
2011140136.tif 000004
【図３】
2011140136.tif 000005
【図４】
2011140136.tif 000006
【図５】
2011140136.tif 000007
【図６】
2011140136.tif 000008
【図７】
2011140136.tif 000009
【図８】
2011140136.tif 000010
【図９】
2011140136.tif 000011